(57)【要約】【課題】印刷複合機等の画像形成装置において管理者と一般ユーザの機能設定を行う装置、方法、及びプログラムに関し、管理者設定項目と機能設定項目の分類を変更可能とする。【解決手段】管理者設定部１１０は、各機能に対して設定される設定項目毎に、その設定項目に対応させて、管理者設定項目又は機能設定項目の何れかの属性と、その設定項目の設定項目値とを、後述する管理者設定テーブルに記憶させる。これと共に、管理者設定部１１０は、機能設定項目の属性が設定された設定項目を、画像形成装置１００に対して設定されているユーザアカウント毎に設けた後述する機能設定テーブルに登録し、設定項目値を機能設定テーブルに登録した設定項目に対応させて記憶させる。機能設定部１１３は、一般ユーザがその一般ユーザに対応するユーザアカウントにログインしたときに、その一般ユーザに、そのユーザアカウントに対応する機能設定テーブルに登録されている設定項目に記憶されている設定項目値を変更させる。【選択図】図１
2019096037.tif 000002
【特許請求の範囲】
【請求項１】
画像形成装置において管理者のみが設定を行える管理者設定項目と一般ユーザが個別に設定を行える機能設定項目を管理する装置であって、
設定項目毎に、該設定項目に対応させて、前記管理者設定項目又は前記機能設定項目の何れかの属性と、該設定項目の設定項目値とを、管理者設定テーブルに記憶させると共に、前記機能設定項目の属性が設定された設定項目を、前記画像形成装置に対して設定されているユーザアカウント毎に設けた機能設定テーブルに登録し、前記設定項目値を前記機能設定テーブルに登録した前記設定項目に対応させて記憶させる管理者設定部と、
一般ユーザが該一般ユーザに対応する前記ユーザアカウントにログインしたときに、前記一般ユーザに、前記ユーザアカウントに対応する前記機能設定テーブルに登録されている前記設定項目に記憶されている前記設定項目値を変更させる機能設定部と、
を備えることを特徴とする機能設定装置。
【発明の詳細な説明】
【技術分野】
【０００１】
本発明は、印刷複合機等の画像形成装置において管理者と一般ユーザの機能設定を行う機能設定装置に関する。
【背景技術】
【０００２】
印刷複合機等における機能の増加に伴い、設定可能な項目が増加している。このような機能項目の設定を行う方式としては、従来、設定が必要又は可能な項目は、例えば複合機を管理する管理者で設定する管理者設定項目と一般ユーザが設定できる機能設定項目とに分類されている。一般ユーザが触れてはいけない項目や共通項目などは管理者設定項目に、一般ユーザが個別に設定をしても良い項目は機能設定項目に分類されている。上述の管理者設定項目と機能設定項目の分類は、複合機の機体製造メーカで予め分類されて、複合機の購入者は変更できないようになっている。
【０００３】
このような項目設定を制御する技術として、従来、次のような技術が知られている（例えば特許文献１）。共通情報書込み手段は、全てのユーザに関する処理にデフォルトとして適用される共通情報を設定する。個別情報書込み手段は、個別のユーザに関する処理について共通情報と異なる設定とするために、個別のユーザについてのみ適用される個別情報を設定する。共通情報解析手段は、個別情報が設定されている場合にはその個別情報を優先し、個別情報が設定されていない場合には共通情報を用いて設定情報を定める。
【先行技術文献】
【特許文献】
【０００４】
【特許文献１】特開２００４−１７１１８８号公報
【発明の概要】
【発明が解決しようとする課題】
【０００５】
しかしながら、上述の従来技術のように、製造メーカ側で事前に分類されている項目は全ての複合機の顧客の要求を満たすことが不可能である。例えば、複合機の表示言語は複合機の管理者が管理者設定項目においてその複合機を利用する表示言語に設定している。しかし、国際化が進むことにより、オフィスに上記表示言語以外の言語を使う一般ユーザが増えており、このような他国籍ユーザが管理者によって表示されている表示言語を理解できない場合、これらのユーザは複合機を使いこなすことが難しくなる。従って、複合機の顧客によっては、例えば表示言語は、管理者のみが設定できる管理者設定項目ではなく、一般ユーザが個別に設定できる機能設定項目にしたほうがよい場合がある。しかし、従来は、上述のように、管理者設定項目と機能設定項目は工場出荷時に予め分類されており、複合機の顧客がその分類設定を変更することができなかった。
【０００６】
一方、複合機の製造メーカとしては、管理者設定項目と機能設定項目とを事前に分類することが難しいという状況もあった。
【０００７】
そこで、本発明は、管理者設定項目と機能設定項目の分類を変更可能とすることを目的とする。
【課題を解決するための手段】
【０００８】
態様の一例は、画像形成装置において管理者のみが設定を行える管理者設定項目と一般ユーザが個別に設定を行える機能設定項目を管理する装置であって、設定項目毎に、その設定項目に対応させて、管理者設定項目又は機能設定項目の何れかの属性と、その設定項目の設定項目値とを、管理者設定テーブルに記憶させると共に、機能設定項目の属性が設定された設定項目を、画像形成装置に対して設定されているユーザアカウント毎に設けた機能設定テーブルに登録し、設定項目値を機能設定テーブルに登録した設定項目に対応させて記憶させる管理者設定部と、一般ユーザがその一般ユーザに対応するユーザアカウントにログインしたときに、一般ユーザに、ユーザアカウントに対応する機能設定テーブルに登録されている設定項目に記憶されている設定項目値を変更させる機能設定部と、を備える。
【発明の効果】
【０００９】
本発明によれば、管理者設定項目と機能設定項目の分類を変更することが可能となる。
【図面の簡単な説明】
【００１０】
【図１】画像形成装置の実施形態のシステムブロック図である。
【図２】管理者設定テーブルと機能設定テーブルのデータ例を示す図である。
【図３】操作パネルの表示例を示す図である。
【図４】管理者設定処理の例を示すフローチャートである。
【図５】ユーザ登録処理の例を示すフローチャートである。
【図６】ユーザ削除処理の例を示すフローチャートである。
【図７】機能設定処理の例を示すフローチャートである。
【図８】機能実行制御処理の例を示すフローチャートである。
【発明を実施するための形態】
【００１１】
以下、本発明を実施するための形態について図面を参照しながら詳細に説明する。図１は、画像形成装置１００の実施形態のシステムブロック図である。図１において、画像形成装置１００は、制御部１０１と、プリンタエンジン１０２と、外部記憶装置１０３と、原稿台１０４と、操作パネル１０５と、可搬記録媒体インタフェース１０６と、通信インタフェース１０７とが、バス１０８によって相互に接続された構成を有する。制御部１０１は更に、管理者設定部１１０、ユーザ登録部１１１、ユーザ削除部１１２、機能設定部１１３、及び機能実行制御部１１４を含む。
【００１２】
図１の画像形成装置１００において、制御部１０１は、１１０から１１４の各部の機能を実現する専用のハードウェア装置、又は特には図示しないメモリに記憶された制御プログラムを実行するプロセッサである。
【００１３】
外部記憶装置１０３は、例えばハードディスク記憶装置又は半導体ディスク装置であり、制御部１０１で実行される各種印刷制御プログラムや、原稿データや印刷用の画像データ等を記憶する。また、後述する管理者設定テーブル２０１及びユーザアカウント毎に設けられる機能設定テーブル２０２（図２参照）を記憶する。
【００１４】
操作パネル１０５は、ユーザが各種印刷設定を行うための、例えばタッチパネル及び液晶表示装置である。
【００１５】
通信インタフェース１０７は、画像形成装置１００が特には図示しないローカルエリアネットワーク等に接続される場合に、そのネットワークと制御部１０１との間の印刷関連データの送受信を中継する。
【００１６】
可搬記録媒体インタフェース１０６は、ＵＳＢメモリ、ＳＤカードメモリ、コンパクトフラッシュ（登録商標）メモリや、ＣＤ−ＲＯＭ、ＤＶＤ、光ディスク等の可搬記録媒体１０９を収容するもので、外部記憶装置１０３の補助の役割を有する。
【００１７】
本実施形態による画像形成装置１００は、制御部１０１の各種機能を実現する制御プログラムをプロセッサが実行することで実現されてよく、それらの制御プログラムは、例えば外部記憶装置１０３や可搬記録媒体１０９に記録して配布してもよく、或いは通信インタフェース１０７によりネットワークから取得できるようにしてもよい。
【００１８】
図１に示される画像形成装置１００において、本実施形態では、管理者のみが設定を行える管理者設定項目と一般ユーザが個別に設定を行える機能設定項目を個別に管理することができる。まず、制御部１０１内の管理者設定部１１０は、各機能に対して設定される設定項目毎に、その設定項目に対応させて、管理者設定項目又は機能設定項目の何れかの属性と、その設定項目の設定項目値とを、後述する管理者設定テーブル２０１（後述する図２（ａ）参照）に記憶させる。これと共に、管理者設定部１１０は、機能設定項目の属性が設定された設定項目を、画像形成装置１００に対して設定されているユーザアカウント毎に設けた後述する機能設定テーブル２０２（後述する図２（ｂ）参照）に登録し、設定項目値を機能設定テーブル２０２に登録した設定項目に対応させて記憶させる。
【００１９】
次に、制御部１０１内の機能設定部１１３は、一般ユーザがその一般ユーザに対応するユーザアカウントにログインしたときに、その一般ユーザに、そのユーザアカウントに対応する機能設定テーブル２０２に登録されている設定項目に記憶されている設定項目値を変更させる。
【００２０】
続いて、制御部１０１内のユーザ登録部１１１及びユーザ削除部１１２は、管理者がユーザアカウントの登録又は削除を行うときに、機能設定テーブル２０２の作成又は削除を行う。
【００２１】
このようにして、管理者は、管理者設定部１１０、ユーザ登録部１１１、及びユーザ削除部１１２を用いて、自組織等での運用形態に合わせて、管理者設定項目と機能設定項目の分類を変更することが可能となる。
【００２２】
制御部１０１内の機能実行制御部１１４は、任意の機能に対する機能実行要求が発生したときに、管理者設定テーブル２０１において、発生した機能実行要求に対応する設定項目に機能設定項目が記憶されている場合であってかつユーザアカウントへのログインがされている場合に、そのユーザアカウントに対応する機能設定テーブル２０２内の上記設定項目に記憶されている設定項目値を用いて、その機能を実行する。また、機能実行制御部１１４は、上記設定項目に管理者設定項目が記憶されている場合、又は、上記設定項目に機能設定項目が記憶されているがユーザアカウントへのログインがされていない場合には、管理者設定テーブル２０１内の上記設定項目に記憶されている設定項目値を用いて、その機能を実行する。
【００２３】
このようにして、本実施形態では、管理者設定項目が指定された設定項目に対応する機能は管理者が設定した設定項目値に従って、一方、機能設定項目が指定された設定項目に対応する機能は一般ユーザが個別に設定した設定項目に従って、各機能を実行させることが可能となる。また、一般ユーザのログインが発生していない場合には、管理者がデフォルト設定した設定項目値に従って、各機能を実行させることが可能となる。
【００２４】
図２は、図１の外部記憶装置１０３が記憶する管理者設定テーブル２０１とユーザアカウント別に設けられる機能設定テーブル２０２のデータ例を示す図である。図２（ａ）に例示される管理者設定テーブル２０１は、設定項目と属性と設定値の組を複数組記憶する。設定項目には、ＩＰアドレス設定、表示言語設定、ｍｍ／ｉｎｃｈ（ミリ／インチ）設定、用紙登録、給紙先設定、用紙選択、連写、文字／写真等の、画像形成装置１００の各種機能を実行するために必要な項目の種別が記憶される。属性には、管理者設定又は機能設定の別が記憶される。属性として管理者設定が記憶されている設定項目は、管理者のみが設定値を登録することができる。属性として機能設定が記憶されている設定項目は、管理者はデフォルトの設定値を登録することができ、一般ユーザは後述する機能設定テーブル２０２を介して個別に、その設定値を上書き登録することができる。
【００２５】
図２（ｂ）に例示される機能設定テーブル２０２は、ユーザアカウント毎に設けられ、設定項目と設定値の組を複数組記憶する。設定項目には、図２（ａ）の管理者設定テーブル２０１において属性として機能設定が記憶されている設定項目がコピーされて登録される。設定値には、一般ユーザが各設定項目に対して個別に指定した値が登録される。
【００２６】
図３は、図１の操作パネル１０５の表示例を示す図である。図３（ａ）は、管理者がログインしたときに表示される本実施形態に関係する表示ボタンの例を示す図であり、管理者設定ボタン３０１、ユーザ登録ボタン３０２、及びユーザ削除ボタン３０３を有する。管理者設定ボタン３０１は、後述する管理者設定処理（図４参照）の実行を指示する。ユーザ登録ボタン３０２は、後述するユーザ登録処理（図５参照）の実行を指示する。ユーザ削除ボタン３０３は、後述するユーザ削除処理（図６参照）の実行を指示する。
【００２７】
図３（ｂ）は、一般ユーザがログインしたときに表示される本実施形態に関係する表示ボタンの例を示す図であり、機能設定ボタン３０４を有する。機能設定ボタン３０４は、後述する機能設定処理（図７参照）の実行を指示する。
【００２８】
図４は、管理者が、ログイン後に、図１の操作パネル１０５上に表示される図３（ａ）の管理者設定ボタン３０１にタッチしたときに実行される管理者設定処理の例を示すフローチャートである。この処理は、図１の管理者設定部１１０の機能に対応する。
【００２９】
まず、制御部１０１内の特には図示しないプロセッサ（以下「制御部プロセッサ」と呼ぶ）は、図２（ａ）の管理者設定テーブル２０１上で、管理者が操作パネル１０５から指定した設定項目を読み込む（ステップＳ４０１）。以下の説明では、ステップＳ４０１で読み込まれた設定項目を、「現在の設定項目」と記載する。
【００３０】
次に、制御部プロセッサは、管理者設定テーブル２０１の現在の設定項目に、管理者が操作パネル１０５から入力した設定値を、管理者設定値として記憶させる（ステップＳ４０２）。例えば、図２（ａ）の例において、管理者は、「ＩＰアドレス」項目を指定して、ＩＰ（インターネットプロトコル）アドレスに関する管理者設定値「１９８．１２３．４５６．７８９」を指定し、この管理者設定値が図２（ａ）の管理者設定テーブル２０１の「ＩＰアドレス」項目に記憶される。
【００３１】
次に、制御部プロセッサは、管理者が操作パネル１０５から、現在の設定項目に対して、機能設定項目を指定したか否かを判定する（ステップＳ４０３）。
【００３２】
ステップＳ４０３の判定がＹＥＳの場合には、制御部プロセッサは、管理者設定テーブル２０１の現在の設定項目の属性に、「機能設定」を記憶させる（ステップＳ４０４）。例えば、図３（ａ）の例では、設定項目が「ＩＰアドレス」以外の各設定項目の場合である。
【００３３】
続いて、制御部プロセッサは、ユーザアカウント毎に設けられている各ユーザの機能設定テーブル２０２において、ステップＳ４０１で指定された現在の設定項目が無い場合、その設定項目を機能設定テーブル２０２に追加し、ステップＳ４０２で管理者設定テーブル２０１に記憶された管理者設定値を、上記機能設定テーブル２０２の現在の設定項目にコピーして記憶させる（ステップＳ４０５）。
【００３４】
一方、ステップＳ４０３の判定がＮＯの場合には、制御部プロセッサは、管理者設定テーブル２０１の現在の設定項目の属性に、「管理者設定」を記憶させる（ステップＳ４０６）。例えば、図３（ａ）の例では、設定項目が「ＩＰアドレス」の場合である。
【００３５】
続いて、制御部プロセッサは、ユーザアカウント毎に設けられている各ユーザの機能設定テーブル２０２において、ステップＳ４０１で指定された現在の設定項目が有る場合、その設定項目を機能設定テーブル２０２から削除する（ステップＳ４０７）。
【００３６】
ステップＳ４０５又はＳ４０７の処理の後、制御部プロセッサは、操作パネル１０５上の特には図示しない終了指示ボタンにより、管理者が管理者設定処理の終了を指示したか否かを判定する（ステップＳ４０８）。
【００３７】
ステップＳ４０８の判定がＮＯならば、制御部プロセッサは、ステップＳ４０１の処理に戻り、管理者が次に指定した設定項目に対する上記ステップＳ４０１からＳ４０５の一連の処理を実行する。
【００３８】
ステップＳ４０８の判定がＹＥＳならば、制御部プロセッサは、図４のフローチャートで例示される管理者設定処理を終了する。
【００３９】
図５は、管理者が、ログイン後に、図１の操作パネル１０５上に表示される図３（ａ）のユーザ登録ボタン３０２にタッチしたときに実行されるユーザ登録処理の例を示すフローチャートである。この処理は、図１のユーザ登録部１１１の機能に対応する。
【００４０】
まず、制御部プロセッサは、新たなユーザアカウント情報の登録を実行する（ステップＳ５０１）。この処理では、ユーザ名（ユーザＩＤ）やパスワード等が登録される。
【００４１】
次に、制御部プロセッサは、作成したユーザアカウントに対する空の機能設定テーブル２０２（図２（ｂ）参照）を作成する（ステップＳ５０２）。
【００４２】
そして、制御部プロセッサは、ステップＳ５０２で作成した機能設定テーブル２０２に、管理者設定テーブル２０１（図２（ａ）参照）で属性に「機能設定」が記憶されている各設定項目を追加し、管理者設定テーブル２０１の各設定項目に記憶されている各管理者設定値を、上記追加した機能設定テーブル２０２上の各設定項目にコピーする（ステップＳ５０３）。図２（ａ）の例では、属性に「管理者設定」が記憶されている「ＩＰアドレス」以外の各設定項目と各設定項目値が、図２（ｂ）に例示されるように登録される。その後、制御部プロセッサは、図５のフローチャートで例示されるユーザ登録処理を終了する。
【００４３】
図６は、管理者が、ログイン後に、図１の操作パネル１０５上に表示される図３（ａ）のユーザ削除ボタン３０３にタッチしたときに実行されるユーザ削除処理の例を示すフローチャートである。この処理は、図１のユーザ削除部１１２の機能に対応する。
【００４４】
まず、制御部プロセッサは、管理者が操作パネル１０５から指定した、削除するユーザアカウントに対する機能設定テーブル２０２を削除する（ステップＳ６０１）。
【００４５】
そして、制御部プロセッサは、管理者が指定したユーザアカウント情報を削除する（ステップＳ６０２）。その後、制御部プロセッサは、図６のフローチャートで例示されるユーザ削除処理を終了する。
【００４６】
図７は、一般ユーザが、図１の操作パネル１０５上に表示される図３（ｂ）の機能設定ボタン３０４にタッチしたときに実行される機能設定処理の例を示すフローチャートである。この処理は、図１の機能設定部１１３の機能に対応する。
【００４７】
まず、制御部プロセッサは、一般ユーザがログイン中か否かを判定する（ステップＳ７０１）。
【００４８】
ステップＳ７０１の判定がＮＯの場合、制御部プロセッサは、一般ユーザが操作パネル１０５を操作することによりログイン処理を実行する（ステップＳ７０２）。ここでは、制御部プロセッサは、一般ユーザによるユーザ名（ユーザＩＤ）とパスワードの入力を受け付け、ユーザ名（ユーザＩＤ）とパスワードの照合を実行する。
【００４９】
制御部プロセッサは、上記照合により、ログインに成功したか否かを判定する（ステップＳ７０３）。
【００５０】
制御部プロセッサは、ステップＳ７０３の判定がＮＯならば、ステップＳ７０２の処理に戻って、ログイン処理を繰り返す。
【００５１】
制御部プロセッサは、ステップＳ７０１の判定がＹＥＳの場合、又はステップＳ７０３の判定がＹＥＳになった場合、ログインしたユーザアカウントに対応する機能設定テーブル２０２（図２（ｂ）参照）上で、一般ユーザが操作パネル１０５から指定した設定項目を読み込む（ステップＳ７０４）。以下の説明では、この設定項目を「現在の設定項目」と記載する。
【００５２】
続いて、制御部プロセッサは、機能設定テーブル２０２上の現在の設定項目に、一般ユーザが操作パネル１０５から入力した設定値を、機能設定値として記憶させる（ステップＳ７０５）。例えば、図２（ｂ）の例において、一般ユーザは、「表示言語設定」項目を指定して、「中国語」を機能設定値として指定し、この機能設定値が図２（ｂ）の上記一般ユーザのユーザアカウントに対応する機能設定テーブル２０２の「表示言語設定」項目に記憶される。
【００５３】
その後、制御部プロセッサは、操作パネル１０５上の特には図示しない終了指示ボタンにより、一般ユーザが機能設定処理の終了を指示したか否かを判定する（ステップＳ７０６）。
【００５４】
ステップＳ７０６の判定がＮＯならば、制御部プロセッサは、ステップＳ７０４の処理に戻り、一般ユーザが次に指定した設定項目に対する上記ステップＳ７０４からＳ７０５の一連の処理を実行する。
【００５５】
ステップＳ７０６の判定がＹＥＳならば、制御部プロセッサは、一般ユーザがログアウトを指示したか否かを判定する（ステップＳ７０７）。
【００５６】
ステップＳ７０７の判定がＹＥＳならば、制御部プロセッサは、ログアウト処理を実行する（ステップＳ７０８）。
【００５７】
ステップＳ７０８の処理の後、又はステップＳ７０７の判定がＮＯの場合に、制御部プロセッサは、図７のフローチャートで例示される機能設定処理を終了する。
【００５８】
図８は、制御部１０１が実行する機能実行制御処理の例を示すフローチャートである。この処理は、図１の機能実行制御部１１４の機能に対応する。
【００５９】
まず、制御部プロセッサは、機能実行要求が発生するまで待機する（ステップＳ８０１の判定がＮＯの繰返し）。
【００６０】
機能実行要求が発生してステップＳ８０１の判定がＹＥＳになると、制御部プロセッサは、管理者設定テーブル２０１（図２（ａ）参照）において、発生した機能実行要求に対応する設定項目に機能設定の属性が記憶されているか否かを判定する（ステップＳ８０２）。
【００６１】
ステップＳ８０２の判定がＹＥＳの場合、制御部プロセッサは、現在一般ユーザがログイン中であるか否かを判定する（ステップＳ８０３）。
【００６２】
ステップＳ８０３の判定がＹＥＳならば、制御部プロセッサは、ログインユーザのユーザアカウントに対応する機能設定テーブル２０２（図２（ｂ）参照）において、発生した機能実行要求に対応する設定項目から、機能設定値を取得する（ステップＳ８０４）。
【００６３】
管理者設定テーブル２０１において、発生した機能実行要求に対応する設定項目に管理者設定の属性が記憶されていてステップＳ８０２の判定がＮＯの場合、又はステップＳ８０３の判定がＮＯの場合（一般ユーザがログイン中ではないと判定された場合）には、制御部プロセッサは、管理者設定テーブル２０１（図２（ａ）参照）において、発生した機能実行要求に対応する設定項目から、管理者設定値をデフォルト値として取得する（ステップＳ８０５）。
【００６４】
ステップＳ８０４又はＳ８０５の処理の後、制御部プロセッサは、取得された設定値を用いて、発生した機能実行要求により要求された機能を実行する（ステップＳ８０６）。その後、制御部プロセッサは、ステップＳ８０１の待機処理に戻る。
【００６５】
以上、開示の実施形態とその利点について詳しく説明したが、当業者は、特許請求の範囲に明確に記載した本発明の範囲から逸脱することなく、様々な変更、追加、省略をすることができる。
【００６６】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６７】
以上の実施形態に関して、更に以下の付記を開示する。
（付記１）
画像形成装置において管理者のみが設定を行える管理者設定項目と一般ユーザが個別に設定を行える機能設定項目を管理する装置であって、
設定項目毎に、該設定項目に対応させて、前記管理者設定項目又は前記機能設定項目の何れかの属性と、該設定項目の設定項目値とを、管理者設定テーブルに記憶させると共に、前記機能設定項目の属性が設定された設定項目を、前記画像形成装置に対して設定されているユーザアカウント毎に設けた機能設定テーブルに登録し、前記設定項目値を前記機能設定テーブルに登録した前記設定項目に対応させて記憶させる管理者設定部と、
一般ユーザが該一般ユーザに対応する前記ユーザアカウントにログインしたときに、前記一般ユーザに、前記ユーザアカウントに対応する前記機能設定テーブルに登録されている前記設定項目に記憶されている前記設定項目値を変更させる機能設定部と、
を備えることを特徴とする機能設定装置。
（付記２）
付記１に記載の機能設定装置を備えた画像形成装置であって、
任意の機能に対する機能実行要求が発生したときに、前記管理者設定テーブルにおいて、発生した前記機能実行要求に対応する設定項目に前記機能設定項目が記憶されている場合であってかつ前記画像形成装置において何れかの前記ユーザアカウントにログインがされている場合に、該ユーザアカウントに対応する前記機能設定テーブルにおいて、発生した前記機能実行要求に対応する設定項目に記憶されている設定項目値を用いて発生した前記機能実行要求に対応する機能を実行し、発生した前記機能実行要求に対応する設定項目に前記管理者設定項目が記憶されている場合、又は、発生した前記機能実行要求に対応する設定項目に前記機能設定項目が記憶されている場合であってかつ前記画像形成装置において何れかの前記ユーザアカウントにログインがされていない場合に、前記管理者設定テーブルにおいて、発生した前記機能実行要求に対応する設定項目に記憶されている設定項目値を用いて発生した前記機能実行要求に対応する機能を実行する機能実行制御部を備える、
ことを特徴とする画像形成装置。
【符号の説明】
【００６８】
１０１  制御部
１０５  操作パネル
１１０  管理者設定部
１１１  ユーザ登録部
１１２  ユーザ削除部
１１３  機能設定部
１１４  機能実行制御部
【図１】
2019096037.tif 000003
【図２】
2019096037.tif 000004
【図３】
2019096037.tif 000005
【図４】
2019096037.tif 000006
【図５】
2019096037.tif 000007
【図６】
2019096037.tif 000008
【図７】
2019096037.tif 000009
【図８】
2019096037.tif 000010